(57)【要約】【課題】  ユーザが所望する消去操作を、より簡単かつ確実に行うことができる画像編集装置を提供する。【解決手段】  画像編集装置１００は、ユーザによるポインティングデバイスの操作に応じて画像表示部６１に単位画像を描画（表示）するための描画部８１と、ユーザによる上記ポインティングデバイスの操作に応じて上記画像表示部６１に描画された上記単位画像を消去するための消去部８２とを備えた画像編集装置１００であって、上記消去部８２は、上記描画部８１によって直前に描画（表示）された単位画像の大きさを記憶している線幅記憶部８４から、上記単位画像の大きさを読み出すとともに、読み出した上記単位画像の大きさ以上の大きさで、画像表示部６１に描画（表示）された単位画像を消去する構成である。【選択図】  図１
2006285629.tif 000002
【特許請求の範囲】
【請求項１】
ポインティング装置の操作に応じて、表示装置の表示画面に単位画像を描画する描画手段と、
上記ポインティング装置の操作に応じて、上記表示画面に表示された上記単位画像を消去する消去手段とを備えた画像編集装置であって、
上記消去手段は、上記描画手段によって直前に描画された単位画像の大きさを記憶している描画条件記憶装置から、上記単位画像の大きさを読み出すとともに、
読み出した上記単位画像の大きさ以上の大きさで、描画された単位画像を消去するものであることを特徴とする画像編集装置。
【請求項２】
上記描画手段は、単位画像を連続的に配置して線を形成するものであり、
上記消去手段は、上記線の線幅以上の線幅で、上記描画手段が描画した線を消去するものであることを特徴とする請求項１記載の画像編集装置。
【請求項３】
請求項１または２に記載の画像編集装置と、
ポインティング装置と、
上記画像編集装置にて編集された編集画像と撮影手段にて被写体が撮影された撮影画像とを合成する合成手段とを備えることを特徴とする写真撮影プリント装置。
【請求項４】
上記ポインティング装置は、ユーザからの操作を受け付ける操作受付手段を備えており、
上記操作受付手段は、ユーザからの操作を受け付けると、上記消去手段に単位画像の消去を命令する消去操作命令を送信するものであることを特徴とする請求項３記載の写真撮影プリント装置。
【請求項５】
上記ポインティング装置は、ユーザからの操作を受け付ける操作受付手段を備えており、
上記操作受付手段は、ユーザからの操作を受け付けると、上記画像編集装置に対して、上記描画手段による単位画像の描画および上記消去手段による上記単位画像の消去のいずれかの操作によって変化した単位画像を、上記操作の直前の状態に戻す状態復元命令を送信するものであることを特徴とする請求項３記載の写真撮影プリント装置。
【請求項６】
請求項１または２記載の画像編集装置を動作させる画像編集装置の制御プログラムであって、コンピュータを上記の各手段として機能させるための制御プログラム。
【請求項７】
請求項３〜５のいずれか１項に記載の写真撮影プリント装置を動作させる写真撮影プリント装置の制御プログラムであって、コンピュータを上記の各手段として機能させるための制御プログラム。
【請求項８】
請求項６または７に記載の制御プログラムを記録した、コンピュータ読取り可能な記録媒体。
【発明の詳細な説明】
【技術分野】
【０００１】
本発明は、例えば、タッチペンやマウス等のポインティングデバイスによって入力される画像情報を編集することができる画像編集装置およびそれを備えた写真撮影プリント装置、画像編集プログラム、コンピュータ読取り可能な記録媒体に関するものである。
【背景技術】
【０００２】
従来より、例えば、タッチペン等の入力ペンを備えた座標入力装置によって取得された座標位置に、ユーザによって選択された画像を、液晶パネル等の表示装置に表示させる描画装置が知られている。
【０００３】
そして、上記描画装置を用いて、ユーザをカメラ等の撮影手段によって撮影して、当該撮影画像と、娯楽性を高めるためにユーザが入力ペン等によって入力したスタンプ画像や線画等の落書き画像とを合成し、この合成画像を印刷する写真撮影プリント装置が知られている（例えば、特許文献１、２参照）。
【０００４】
この上記写真撮影プリント装置において、ユーザが落書き画像を作成する際には、画像編集モードにて、ユーザが上記入力ペンを用いて、例えば、ハート型や星型等のスタンプ画像を入力する。
【０００５】
そして、上記のようにスタンプ画像を入力する場合には、ユーザは、予め決められたサイズ（例えば、大・中・小）や形状等を選択して入力している。また、ユーザが線を描く場合も同様で、予め決められた線幅や色を選択して入力している。
【０００６】
ところで、上記入力された画像を消去したい場合には、ユーザは、例えば、入力操作を１つ前の状態に戻すいわゆる「ｕｎｄｏ」機能や、入力した画像の一部を消去したい場合には「消しゴム」ツール等によって画像を消去することになる。そして、上記「消しゴム」ツールでは、上記画像の入力と同様に、予め大きさの決められた「消しゴム」ツールが設けられており、ユーザは、消去する範囲に基づいて「消しゴム」ツールの大きさを選択している。
【特許文献１】特開２００４−１５３６１３公報（公開日：２００４年５月２７日）
【特許文献２】特開２００４−２１３２２１公報（公開日：２００４年７月２９日）
【発明の開示】
【発明が解決しようとする課題】
【０００７】
しかしながら、上記従来の構成では、確実にユーザが希望する画像領域のみを消去することができないとともに、画像の消去操作が煩わしいという問題を生じる。
【０００８】
具体的には、上記「ｕｎｄｏ」機能を使って画像を消去する場合、当該「ｕｎｄｏ」機能は、例えば、スタンプ画像そのものを消去した場合等には有効であるが、上記スタンプ画像の一部、線画の一部のみを消去したい場合には使用できない。
【０００９】
また、上記「消しゴム」ツールを用いて画像を消去する場合、スタンプ画像の一部、線画の一部のみを確実に消去することは困難である。具体的には、例えば、太い線を入力した後、当該線の一部を消去したい場合には、「消しゴム」ツールを用いるが、このとき、「消しゴム」ツールの消去範囲は、予め決められたものとなっている。従って、例えば、描画した線よりも消去範囲が狭い「消しゴム」ツールしかない場合には、所望の消去操作を行うことは非常に困難になる。
【００１０】
さらに、従来では、「消しゴム」ツールの消去範囲は、予め大きさが決められており、例えば、消去範囲の異なる「消しゴム」ツールが存在した場合であっても、ユーザは、消去範囲を選択する必要があり、消去操作は煩わしいものとなっている。
【００１１】
本発明は、上記の問題点に鑑みてなされたものであり、その目的は、ユーザが所望する消去操作を、より簡単かつ確実に行うことができる画像編集装置およびそれを備えた写真撮影プリント装置を提供することにある。
【課題を解決するための手段】
【００１２】
本発明にかかる画像編集装置は、上記の課題を解決するために、ポインティング装置の操作に応じて、表示装置の表示画面に単位画像を描画する描画手段と、上記ポインティング装置の操作に応じて、上記表示画面に表示された上記単位画像を消去する消去手段とを備えた画像編集装置であって、上記消去手段は、上記描画手段によって直前に描画された単位画像の大きさを記憶している描画条件記憶装置から、上記単位画像の大きさを読み出すとともに、読み出した上記単位画像の大きさ以上の大きさで、描画された単位画像を消去するものであることを特徴としている。
【００１３】
上記ポインティング装置とは、表示装置の表示画面上での入力位置や座標を指定する入力機器を示す。上記ポインティング装置としては、例えば、マウスやトラックパッド、トラックボール、タッチペン、タッチパネル等が挙げられる。
【００１４】
上記の構成によれば、描画手段によって表示画面に描画した単位画像の大きさを描画条件記憶装置に記憶しておき、消去手段が、描画された単位画像を消去する際に、上記消去手段が上記描画条件記憶装置から、表示画面上に表示されている単位画像を消去する直前に描画された単位画像の大きさを読み出して、この大きさ以上の大きさで描画された単位画像を消去している。
【００１５】
これにより、ユーザは、表示画面に表示された単位画像の大きさを気にすることなく、当該単位画像を確実に消去することができる。
【００１６】
具体的には、例えば、小さい単位画像を描画した場合であっても、大きい単位画像を描画した場合であっても、消去手段を用いて単位画像を消去する際に、直前に描画された単位画像以上の大きさの領域で消去することができるので、従来と比べて簡単かつ確実に消去する直前に描画した単位画像を消去することができる。
【００１７】
また、本実施の形態にかかる画像編集装置において、上記描画手段は、単位画像を連続的に配置して線を形成するものであり、上記消去手段は、上記線の線幅以上の線幅で上記描画手段が描画した線を消去する構成であってもよい。
【００１８】
上記の構成によれば、描画手段によって線が描画された場合、上記消去手段は、上記線幅以上の領域（線幅）で上記線を消去している。これにより、上記描画手段が描画した線線を確実に消去することができる。
【００１９】
本発明にかかる写真撮影プリント装置は、上記の課題を解決するために、上記画像編集装置と、ポインティング装置と、上記画像編集装置にて編集された編集画像と撮影手段にて被写体が撮影された撮影画像とを合成する合成手段とを備えることを特徴としている。
【００２０】
上記の構成によれば、撮影手段にて撮影された撮影画像と画像編集装置にて画像編集された編集画像とを合成している。そして、上記画像編集装置を備えているので、画像編集をより簡単かつ確実に行うことができる。これにより、従来よりも操作性が向上した写真撮影プリント装置を提供することができる。
【００２１】
本発明にかかる写真撮影プリント装置において、上記ポインティング装置は、ユーザからの操作を受け付ける操作受付手段を備えており、上記操作受付手段は、ユーザからの操作を受け付けると、上記消去手段に単位画像の消去を命令する消去操作命令を送信する構成であってもよい。
【００２２】
上記の構成によれば、ポインティング装置に操作受付手段が設けられており、上記操作受付手段を操作することで、画像の消去を行うことができる。つまり、ポインティング装置を用いて単位画像の描画を行っている際に、単位画像の消去を行いたい場合には、上記操作受付手段を操作することで単位画像の消去を行うことができる。これにより、より画像編集時の操作性をより一層向上させることができる。
【００２３】
本発明にかかる写真撮影プリント装置において、上記ポインティング装置は、ユーザからの操作を受け付ける操作受付手段を備えており、上記操作受付手段は、ユーザからの操作を受け付けると、上記画像編集装置に対して、上記描画手段による単位画像の描画および上記消去手段による上記単位画像の消去のいずれかの操作によって変化した単位画像を、上記操作の直前の状態に戻す状態復元命令を送信する構成であってもよい。
【００２４】
上記の構成によれば、ポインティング装置に操作受付手段が設けられており、上記操作受付手段を操作することで、直前の状態に戻すことができるこれにより、より画像編集時の操作性をより一層向上させることができる。
【００２５】
なお、上記画像編集装置および写真撮影プリント装置は、コンピュータによって実現してもよく、この場合には、コンピュータを上記各手段として動作させることにより上記画像編集装置および写真撮影プリント装置をコンピュータにて実現させる画像編集装置および写真撮影プリント装置の制御プログラムおよびそれを記録したコンピュータ読取り可能な記録媒体も本発明の範疇に入る。
【発明の効果】
【００２６】
本発明にかかる画像編集装置は、ポインティング装置の操作に応じて、表示装置の表示画面に単位画像を描画する描画手段と、上記ポインティング装置の操作に応じて、上記表示画面に表示された上記単位画像を消去する消去手段とを備えた画像編集装置であって、上記消去手段は、上記描画手段によって直前に描画された単位画像の大きさを記憶している描画条件記憶装置から、上記単位画像の大きさを読み出すとともに、読み出した上記単位画像の大きさ以上の大きさで、描画された単位画像を消去するものである構成である。
【００２７】
これにより、ユーザは、表示画面に表示された単位画像の大きさを気にすることなく、当該単位画像を確実に消去することができる。
【発明を実施するための最良の形態】
【００２８】
本発明の一実施形態について図１ないし図１１に基づいて説明すると以下の通りである。
【００２９】
本実施の形態にかかる画像編集装置は、タッチペン等のポインティングデバイスを用いて単位画像の描画および消去を行う画像編集装置であって、消去操作を行う直前の描画時に形成した単位画像の大きさを含む描画条件を記憶しておき、上記消去操作を行う際には、上記描画条件に基づいて、描画した単位画像の大きさ以上の単位画像を消去する構成である。この、上記単位画像とは、画像を表示する際の最小単位の画像を示し、例えば、線を描画する場合には、この線を構成している１つのドットが単位画像に相当する。つまり、上記線を描画する場合には、単位画像であるドットを連続的に配置することにより、線を構成している。また、例えば、星型やハート型の画像等の特定の形状の特定画像の場合、この特定画像そのものが単位画像となる。なお、以下の説明では、上記画像編集装置を一機能として備えた写真撮影プリント装置に関して説明する。
【００３０】
本実施の形態に係る写真撮影プリント装置は、利用者の写真を撮影する機能（撮影機能）、撮影した写真に対して落書きなどの編集を利用者に行わせる機能（編集機能）、及び編集された画像をプリントする機能（プリント機能）を備えているものである。なお、これらの機能は全て必須であるものではなく、例えば編集機能が省かれた構成とすることも可能である。
【００３１】
（写真撮影プリント装置１の外観的構成）
まず、図２および図３を参照しながら、写真撮影プリント装置１の外観について説明する。図２は、本実施の形態に係る写真撮影プリント装置１の概略の構成を示す斜視図である。また、図３は、上記写真撮影プリント装置１の概略の構成を示す側面図である。図２、図３に示すように、写真撮影プリント装置１は、利用者を被写体として撮影するカメラユニット２（撮影部）を備える装置本体３と、被写体の背景となる背景カーテン４が配備されている。なお、装置本体３から背景カーテン４までの周囲および上部は、外部からの光を遮断する遮光幕によって覆われる。これにより利用者の写真を撮影する撮影空間５が形成される。この写真撮影プリント装置１は撮影空間５にて編集処理も行われるものとするが、撮影空間５と編集処理を行う空間とが別々に設けられていてもかまわない。
【００３２】
装置本体３には、カメラユニット２、タッチパネル６（画像表示部６１）、硬貨投入口７、硬貨返却口８、撮影後のプリントが排出されるプリント排出口９が設けられている。また、装置本体３には、被写体を照明する照明装置１０として、蛍光灯、ストロボランプ、反射板（これらは、装置本体３内に設置されているため、図示せず）、および拡散板１１が配置されている。なお、照明装置１０の構成は上記に限定されるものではなく、撮影に最適な光が被写体に照射されるようになっていればよい。また、タッチパネル６付近にはタッチペン１２が設けられている。また、撮影空間５内には、スピーカ５９（図示せず）が配備されている。
【００３３】
また、写真撮影プリント装置１には、撮影空間５に利用者がいることを撮影空間５の外に向けて表示するためのランプ等が外側に設けられていてもかまわない。また、撮影空間５に荷物置スペースや荷物掛けフック等が設けられていると、利用者は荷物を視界内に入れることができるので、置き引きを防止することができる。なお、上記設置物の配置位置は図面のものに限定されない。
【００３４】
タッチパネル６は、例えば液晶表示素子などのフラットパネルディスプレイやＣＲＴ（cathode ray tube）等の表示面にタッチセンサを設けて構成されている。このタッチパネル６には、撮影処理および編集処理における各種メッセージや画像などが表示される。具体的には、タッチパネル６には、デモ画面、オープニング画面、課金処理指示画面、撮影処理および編集処理における各種操作内容等のメッセージや画像、落書きなどの画像編集処理時における編集対象の画像および各種編集ツールなどが表示される。また、撮影時の動画像等が表示される。これにより、カメラユニット２に向かって撮影ポーズをとる利用者は、リアルタイムで自身の姿を視認することができ、自身のポーズを確認しながら、撮影処理を行うことができる。
【００３５】
そして、タッチパネル６の近傍（図２ではタッチパネル６の左右）には、タッチペン１２が備えられている。利用者は、このタッチペン１２をタッチパネル６に接触させることによって、処理の進行に応じて表示されるボタンを選択したり、落書きなどの画像描画を行ったりすることが可能となる。ここで、図２に示すように、装置本体３には、タッチペン１２が、２つ設置されていることにより、２人の利用者が同時に落書き処理などを入力することができる。
【００３６】
なお、ここでは、一つのタッチパネル６を撮影処理用及び編集処理用として設けているが、それぞれ別に設けてもかまわない。
【００３７】
硬貨投入口７は、利用者が料金として所定金額の硬貨を投入するための投入口である。硬貨返却口８は、釣り銭が生じた場合や、硬貨が投入された後でリセットされた場合に、硬貨を利用者に対して返却するための返却口である。また、装置本体３の内部には、利用者から徴収した硬貨を蓄積する硬貨容器（図示せず）が設けられている。
【００３８】
プリント排出口９は、撮影処理および編集処理を終えた後に、後述のプリンタ３５（出力手段）によって画像がプリントされた写真プリント紙４２が排出される箇所である。
【００３９】
上記背景カーテン４は、撮影の背景を演出するものである。なお、背景カーテン４は、切換可能に複数設けられていてもよい。つまり、撮影処理時において、撮影における背景を利用者の好みに応じて演出でききるよう、複数の背景カーテン４を切換えることができるようになっていてもよい。この場合、例えば様々な色、あるいは様々な絵柄や模様の背景カーテン４を背景となる位置に用意しておき、これらを切換えることによって、利用者の好みに応じた背景を演出することを可能とする。この背景カーテン４は、モータによって機械制御によって切換えることができる自動式（モータ式）となっていてもよいし、利用者が上げたりスライドさせたりすることによって切換えることができる手動式になっていてもよい。
【００４０】
上記照明装置１０を構成している蛍光灯（図示せず）は、撮影時の照明として機能するとともに、通常時の撮影空間５の照明としても機能する。具体的には、蛍光灯は、撮影時にカメラユニット２が撮影するライブビューにおける光量、つまり、利用者が撮影の構図やポーズを考えている期間の光量、を確保する。それとともに、例えば、「写りの良い写真がとれそう」という印象を利用者に与えるといったような、照明による撮影空間５の演出を行う。ここでは、蛍光灯は、装置本体３内において、カメラユニット２の両側に配備される。
【００４１】
上記ストロボランプ（図示せず）は、撮影時の写真閃光灯として機能するものであり、装置本体３内において、カメラユニット２の両側に配備される。
【００４２】
上記反射板（図示せず）は、蛍光灯やストロボランプからの光をその反射するよう機能するものであり、光を拡散板１１の方向に導くように設置される。反射板は、反射面が、例えばステンレス等から構成され、形状としては、拡散板１１に光を集められるような形状であればよい。
【００４３】
上記拡散板１１は、反射板にて反射された光を拡散して撮影空間５に出射するよう機能するものである。拡散板１１は、例えば、薄い乳白色のアクリル板などによって構成されている。形状としては、本実施形態では、発光面が略平面状となっており、また、鉛直方向に長い長方形である。
【００４４】
なお、必要に応じて、照明装置１０からの光量を変化させたり、照明方向を変更したりしてもよい。
【００４５】
スピーカ５９は、利用者に対して各種操作上のガイダンス音声や効果音、ＢＧＭ（back ground music）などを出力するものである。
【００４６】
（写真撮影プリント装置１の機能的説明）
次に、上記写真撮影プリント装置１の機能的な構成について、図４を参照しながら説明する。なお、図４は、上記写真撮影プリント装置１の概略の構成を示すブロック図である。同図に示すように、写真撮影プリント装置１は、前記したカメラユニット２、背景カーテン４、タッチパネル６、タッチペン１２、スピーカ５９及び照明装置１０に加えて、制御装置２０、記憶装置３０、外部ディスクドライブ３１、電源装置３２、課金処理部３３、ＩＤタグリーダ／ライタ３４、プリンタ３５（画像出力部）、プリント紙ユニット４０、駆動制御部５０、画像合成部７２、描画アプリケーション７１、通信部、ＲＡＭ２２、およびＲＯＭ２１を備えている。
【００４７】
タッチパネル６は、静止画像、動画像、文字情報等を表示する画面である画像表示部６１および、利用者の操作入力を受け付けて情報を取得する操作入力部７３からなっている。操作入力部７３は、利用者の操作入力の受け付けに供され、例えば、操作ボタンとしてタッチパネル６上に表示される。このように操作入力部７３はタッチパネル６に表示されるように設けられていてもよいが、例えば、押しボタンとしてタッチパネル６外に設けられてもかまわない。
【００４８】
上記制御装置２０は、写真撮影プリント装置１内における上述した各種構成の動作を統括的に制御する。制御装置２０は、上記ユーザからの入力および後述する描画アプリケーション７１からの出力を制御する入出力ドライバ７０を備えている。なお、上記入出力ドライバ７０については後述する。
【００４９】
そして、上記制御装置２０は、例えばＰＣ（Personal Computer）ベースのコンピュータによって構成される。そして、各種構成の動作制御は、制御プログラムをコンピュータに実行させることによって行われる。このプログラムは、例えばＣＤ−ＲＯＭなどのリムーバブルメディア２９に記録されているものを読み出して使用する形態であってもよいし、ハードディスクなどにインストールされたものを読み出して使用する形態であってもよい。また、この制御装置２０がインターネットなどの通信ネットワークに接続された構成とする場合、この通信ネットワークを介して上記プログラムをダウンロードしてハードディスクなどにインストールして実行する形態なども考えられる。
【００５０】
上記記憶装置３０は、ハードディスクなどの不揮発性の記憶装置３０によって構成されるものである。この記憶装置３０に記憶される内容としては、上記した制御プログラム、ＯＳ（operating system）プログラム、およびその他各種プログラム、カメラユニット２における動作設定値、撮影した画像および編集した画像の画像データ等が挙げられる。カメラユニット２における動作設定値としては、装置出荷時やメンテナンス時等に設定されるホワイトバランスの値、撮影画像の明暗などを調整する際の画像処理に関する各種パラメータ値などが挙げられる。
【００５１】
外部ディスクドライブ３１は、ＣＤ−ＲＯＭ、ＣＤ−Ｒ、ＤＶＤ−ＲＯＭ、ＤＶＤ−ＲＡＭなどの外部ディスク（リムーバブルメディア２９）を読み書きするドライブ装置である。外部ディスクドライブ３１の代わりに、半導体メモリカードのリーダ／ライタなどを用いることもできる。なお、この外部ディスクドライブ３１が、上記記憶装置３０の代わりとして動作してもよい。
【００５２】
上記電源装置３２は、写真撮影プリント装置１内における上述した各種構成に対して電力供給を行うためのものである。
【００５３】
上記課金処理部３３は、硬化投入口からの代金投入、及び硬化返却口からの返却処理などを制御するものであり、利用者から徴収する課金に関する処理を行うものである。課金処理部３３による課金状況に応じて、制御装置２０が該当利用者に対する動作を制御する。
【００５４】
上記ＩＤタグリーダ／ライタ３４及びプリンタ３５は、プリント紙ユニット４０を構成しており、このプリント紙ユニット４０に対して、写真プリントの出力媒体となるプリント紙４２（プリント媒体）及びＩＤタグ４１がプリント紙ユニット４０としてセットで納入されるようになっている。
【００５５】
上記プリンタ３５は、出力すべき画像データが制御装置２０から送られてくると、その画像データに基づいてプリント紙４２に印刷を行うものである。このプリンタ３５としては、例えば昇華型プリンタ３５が用いられる。なお、昇華型プリンタ３５を用いる場合には、プリント紙４２及びＩＤタグ４１に加えて、昇華型用インクフィルムがセットとなって納入されることになる。
【００５６】
上記ＩＤタグリーダ／ライタ３４は、ＩＤタグ４１に記録されている各種識別情報を読み出して制御装置２０に出力する。ＩＤタグ４１は、メモリ機能を有するＩＣチップなどによって構成されるものである。上記識別情報としては、固有ＩＤ、用紙枚数、用紙種類、及び、インク固有の色情報（インクフィルムがセットとなっている場合）などが挙げられる。
【００５７】
上記制御装置２０は、ＩＤタグリーダ／ライタ３４で読取った識別情報に基づいて、装着されたプリント紙４２及びインクフィルムが、当該写真撮影プリント装置１において利用可能なものであるかを判定し、利用可能である場合にのみプリンタ３５を動作可能とする。すなわち、写真撮影プリント装置１において指定されているプリント紙４２及びインクフィルム以外は使用できないように設定されていることになる。
【００５８】
また、ＩＤタグ４１に記録されている用紙枚数情報に基づいて、プリント紙４２を使用するごとに用紙枚数をカウントダウンしていくことによって、残りの用紙枚数を把握することが可能となる。よって、残りの用紙枚数が少なくなってきた際に、これを画像表示部６１などによって警告するような構成としておけば、利用者の利用中に用紙切れを起こすというような不具合を回避することが可能となる。なお、用紙枚数をカウントする際には、ＩＤタグ４１に記録されている用紙枚数情報も書き換えるようにする。これにより、用紙を使い切った場合には、ＩＤタグ４１に記録されている用紙枚数情報も０となり、このＩＤタグ４１を無効にすることが可能となる。
【００５９】
また、ＩＤタグ４１に記録されている用紙種類情報や、インク固有の色情報を読み出すことによって、これらを考慮して画像データの色成分などを補正することにより、その用紙やインクフィルムに的確な画像出力を行うことが可能となる。
【００６０】
ＩＤタグ４１としては、無線によりデータ通信を行うことが可能な非接触型ＩＤタグ４１と、端子が設けられた接触型ＩＤタグ４１とがあり、ＩＤタグリーダ／ライタ３４としては、これらのどちらか一方あるいは両方に対応したものとなる。
【００６１】
なお、上記の例では、ＩＤタグ４１を利用して利用可能なプリント紙４２であるか否かを確認するようになっているが、これに限定するものではなく、例えば、プリント紙４２及びインクフィルムを梱包する梱包材などにプリントされているバーコードなどを利用して確認するような構成としてもよい。また、上記のプリント紙４２としては、通常の紙状媒体である紙状シートであってもよいし、粘着シート及び該粘着シールの粘着面に貼り付けられている剥離シートからなるシールシートであってもよい。
【００６２】
上記通信部２３は、外部装置と情報の送受を行うものである。具体的には、例えば、上記通信部２３は、カメラユニット２を用いて撮影した撮影画像を、上記利用者の携帯電話に送信してもよい。
【００６３】
ＲＯＭ２１は、制御装置２０を動作させるために必要な情報を記憶しているものである。また、上記ＲＡＭ２２は、上記制御装置２０が各種の制御を行う際に、一時的にデータを格納するものである。なお、上記ＲＡＭ２２は、後述する描画アプリケーション７１が画像編集作業を行う際に必要なデータを一時的に格納するものもある。
【００６４】
上記駆動制御部５０は、写真撮影プリント装置１に備えられた、背景カーテン４、照明装置１０、スピーカ５９、およびカメラユニット２の駆動を制御するものである。具体的には、上記駆動制御部５０は、背景カーテン４の駆動を制御するカーテン制御部５２、照明装置１０の駆動を制御する発光制御部５３、スピーカ５９の駆動を制御する音声出力部５４、およびカメラユニット２の駆動を制御する撮像ユニット制御部５５を備えている。そして、この駆動制御部５０は、制御装置２０からの命令に基づいて、上記各駆動装置を制御している。
【００６５】
上記描画アプリケーション７１は、操作入力部７３の操作に基づいて画像が形成された画像形成レイヤー（以下、落書きレイヤーと称する）を作成するものである。具体的には、上記描画アプリケーション７１は、利用者が、タッチペン１２やタッチパネル６等を用いて、画像を形成する際に、画像の描画および消去を含む画像編集を行うものである。
【００６６】
上記画像合成部７２は、カメラユニット２にて撮影された撮影画像と上記落書きレイヤーとを含む複数のレイヤーを合成して合成画像を作成するものである。本実施の形態にかかる写真撮影プリント装置１では、図５に示すように、画像合成部７２は、前景フレームを示す前景レイヤーと上記撮影画像を示す撮影画像レイヤーと、上記描画アプリケーション７１によって作成された落書きレイヤーと、背景を示す背景レイヤーとを合成して、合成画像を作成している。そして、この合成画像が上記プリンタ３５によって印刷されることになる。なお、上記背景レイヤーと落書きレイヤーとは同じものであってもよい。また、落書きレイヤーは、他のレイヤーを兼ねていてもよい。具体的には、落書きは前景レイヤーと落書きレイヤーとが同じもの（前景レイヤーに落書きを行うことになる）であってもよく、撮影画像レイヤーと落書きレイヤーとが同じものであってもよく、背景レイヤーと落書きレイヤーとが同じものであってもよい。
【００６７】
（全体処理の流れ）
次に、上記写真撮影プリント装置１における撮影から印刷までの一連の処理の流れについて、図６に示すフローチャートを参照しながら説明する。まず、ステップ１（以降、Ｓ１のように称する）において、課金処理部３３は、利用者による硬貨の投入があるか否かを判定する。具体的には、課金処理部３３は、利用者による硬貨投入口７から硬貨の投入があると判定すると（Ｓ１においてＹＥＳ）、制御装置２０を動作させる。そして次のＳ２に進む。一方、課金処理部３３は、硬貨の投入がないと判断すると（Ｓ１においてＮＯ）、硬貨の投入を待つ。すなわち、客待ち状態を維持する。なお、この客待ち状態では、例えば、タッチパネル６画面等を表示させておいてもよい。
【００６８】
Ｓ２では、制御装置２０が、駆動制御部５０を制御して撮影処理を行う。この撮影処理では、背景カーテン４の選択や実際の撮影処理などが行われる。ここで、利用者は、画像表示部６１に表示されるライブビュー画像を確認しながら、自分の立ち位置やポーズなどを考え、準備が整い次第、撮影開始指示を行うことによって撮影が行われる。
【００６９】
そして、Ｓ３において、制御装置２０は、Ｓ２における撮影開始からの経過時間が設定時間（ここでは、２分）を超えたか否かを判断する。そして、制御装置２０は、上記経過時間が設定時間を超えていないと判断すると（Ｓ３においてＮＯ）、Ｓ２における撮影処理を繰り返し行う。なお、ここでは、経過時間が２分をオーバーした場合に撮影処理の終了を行う設定になっているが、例えば、撮影枚数が累積限度なった場合や、利用者によって撮影処理の終了指示が出されることにより、撮影処理が終了されるようになっていてもよい。そして、制御装置２０は、撮影処理によって生成した撮影画像を、記憶装置３０に記憶する。
【００７０】
Ｓ３において、制御装置２０によって経過時間が２分を超えたと判断されると（Ｓ３においてＹＥＳ）、処理はＳ４に進む。
【００７１】
Ｓ４では、制御装置２０が、描画アプリケーション７１を制御して編集処理を行う。描画アプリケーション７１は、記憶装置３０から編集対象となる撮影画像、すなわち撮影処理によって作成された撮影画像を読み出し、画像表示部６１に画像編集するための編集用画像を表示する。この編集用画像に対して利用者は、タッチペン１２を用いて落書きなどの編集処理を行う。この編集用画像には、例えば、編集処理を行うためのツール類の選択領域が表示されてもよい。ツール類としては、例えば複数の種類からなるペンおよびその色、消しゴム、および複数のスタンプなどが挙げられる。
【００７２】
また、編集対象となる編集用画像には、編集対象となる画像を選択するための選択画像が表示されてもよい。利用者は、タッチペン１２によって選択画像をタッチすることによって、中央に編集対象として表示される画像を切換えることが可能となっていてもよい。なお、この選択画像は、上記の撮影処理において、複数回の撮影が行われた場合の各撮影時における画像に相当するものである。なお、描画アプリケーション７１による画像編集処理については後述する。
【００７３】
そして、Ｓ５において、制御装置２０は、Ｓ４における編集開始からの経過時間が設定時間（ここでは、２分）を超えたか否かを判断する。そして、上記制御装置２０が、上記経過時間が２分を超えていないと判断すると（Ｓ５においてＮＯ）、Ｓ４に戻って編集処理を継続する。なお、ここでは、経過時間が２分をオーバーした場合に撮影処理の終了を行う設定になっているが、例えば、利用者によって編集処理の終了指示が出されることにより、編集処理が終了されるようになっていてもよい。この経過時間がある一定時間になった時点で、まだ編集処理が行われていない選択画像があれば、タッチパネル６に「落書き忘れ」の画像データがある旨の表示を行ってもよい。または、編集処理の時間を、編集処理を行う対象の画像数で割って各画像に与えられた時間とし、各画像に与えられた時間が経過する毎に「次の画像の落書きをしない？」といった催促を画像表示部６１に表示させてもよい。上記のような表示により、利用者は、全ての画像に対して、編集処理忘れを防止することができる。また、利用者による編集処理の作業が終了すると、利用者の指示に基づいて、または自動的に、編集処理した各画像をどのような配置で、またどのような分割数で、プリント紙４２に印刷するのかが決定されてもよい。
【００７４】
Ｓ５において、制御装置２０によって経過時間が２分を超えたと判断されると（Ｓ５においてＹＥＳ）、制御装置２０は、上記Ｓ４の編集処理にて利用者に作成された落書きレイヤーと撮影画像と背景レイヤーと前景レイヤーとを画像合成部７２にて合成し、処理はＳ６に進む。
【００７５】
Ｓ６では、制御装置２０が、印刷処理を行う。具体的には、制御装置２０は、画像合成部７２にて合成された合成画像を、プリンタ３５を動作させてプリント紙４２に印刷する。そして、このプリント紙４２がプリント排出口９から排出される。
【００７６】
以上のシーケンスによって、写真撮影プリント装置１における一連の動作が終了する。
【００７７】
（画像編集装置１００）
ここで、上記写真撮影プリント装置１に設けられており、画像の編集作業を行う画像編集装置１００について説明する。
【００７８】
図１は、本実施の形態にかかる画像編集装置１００の概略の構成を示すブロック図である。上記画像編集装置１００は、入出力ドライバ７０と描画アプリケーション７１とを備えている。また、上記画像編集装置１００は、必要に応じて、操作入力部７３および画像表示部６１を備えている。
【００７９】
上記操作入力部７３は、ポインティングデバイス（ポインティング装置）であり、画像表示部６１（表示装置）の表示画面上での入力位置や座標を指定するものである。上記図４において、操作入力部７３として、タッチペン１２、タッチパネル６を例示しているが、これ以外にも、マウス、トラックパッド、およびトラックボール等が挙げられる。
【００８０】
上記入出力ドライバ７０は、上記操作入力部７３と描画アプリケーション７１との間、および、画像表示部６１と描画アプリケーション７１との間の入出力信号を制御するものである。上記入出力ドライバ７０は、入力制御部７６と出力制御部７９とを備えている。
【００８１】
上記入力制御部７６は、操作入力部７３からの操作を受け付けて、描画アプリケーション７１に送信するものである。そして、上記入力制御部７６は、入力受付部７７と入力座標特定部７８とを有している。上記入力受付部７７は、操作入力部７３の操作を受け付けるものである。そして、上記入力座標特定部７８は、入力受付部７７にて受け付けた操作から、座標を特定するものである。上記操作入力部７３は、ポインティングデバイスであり、上記入力座標特定部７８は、ユーザによってポインティングデバイスの操作が行われた入力座標を特定するものである。つまり、上記入力制御部７６は、ユーザが、上記ポインティングデバイスを用いて、画像表示部６１上を操作する際に、当該画像表示部６１の表示画面上での入力位置や座標を特定するものである。
【００８２】
上記出力制御部７９は、描画アプリケーション７１から画像表示部６１に対して出力される表示信号を制御するものである。また、画像表示部６１は、描画アプリケーション７１にて作成された画像情報を表示するものである。
【００８３】
ここで、描画アプリケーション７１について説明する。上記描画アプリケーション７１は、切換部８０と描画部８１と消去部８２とを有している。そして、描画アプリケーション７１を動作させる際には、動作に関する種々の情報がＲＡＭ２２に記憶される。そして、上記ＲＡＭ２２には、状態記憶部８３が設けられており、当該状態記憶部８３には線幅記憶部８４が設けられている。
【００８４】
上記描画部８１は、上記入力制御部７６を介して取得した操作入力部７３の動作に応じて、単位画像を描画するものである。より詳細には、上記描画部８１は、入力制御部７６を介して取得した操作入力部７３の動作に応じて、単位画像を上記落書きレイヤーに書き込むものである。
【００８５】
上記消去部８２は、上記入力制御部７６を介して取得した操作入力部７３の動作に応じて、描画部８１によって描画された単位画像を消去するものである。より詳細には、上記消去部８２は、入力制御部７６を介して取得した操作入力部７３の動作に応じて、上記落書きレイヤーに書き込まれた単位画像を、当該単位画像が書き込まれる前の状態に変更するものである。
【００８６】
上記切換部８０は、上記描画部８１の動作と上記消去部８２の動作とを切換えるものであり、上記入力制御部７６を介して取得した操作入力部７３の操作に応じて、上記動作を切換えるものである。つまり、切換部８０が描画部８１を選択している間に、ユーザによって操作入力部７３が操作されると、画像表示部６１には単位画像が形成（表示）される。一方、切換部８０が消去部８２を選択している間に、ユーザによって操作入力部７３が操作されると、画像表示部６１に表示されている単位画像が消去される。
【００８７】
このように、ユーザは、切換部８０を切換えることにより、画像表示部６１に単位画像を表示させたり、画像表示部６１に表示されている単位画像を消去したりすることができる。
【００８８】
そして、本実施の形態では、描画部８１は、上記単位画像を作成する際に、描画条件を状態記憶部８３に記憶させている。具体的には、例えば、落書きレイヤーに単位画像（線）を描画する際には、描画部８１は、上記状態記憶部８３に、線の太さ（線幅）に関する線幅情報、線の色を示す色情報、線の形（破線、点線等）に関する形状情報等の描画条件を記憶する。また、線の代わりにスタンプ画像等の特定形状の特定画像を描画する場合、描画部８１は、上記状態記憶部８３に、上記特定画像の大きさを示す大きさ情報、特定画像の色を示す色情報、特定画像の形状を示す形状情報等の描画条件を記憶する。このうち、上記線幅情報および大きさ情報については、描画部８１は、状態記憶部８３の線幅記憶部８４に記憶させる。
【００８９】
そして、上記切換部８０が消去部８２を動作させるように切換えたとき、換言すると、ユーザによって描画から消去に切換える指示を受けて切換部８０が消去部８２に対して動作命令を出した際、当該消去部８２は、上記状態記憶部８３の線幅記憶部８４に記憶されている線幅情報または大きさ情報を読み出す。そして、上記消去部８２は、単位画像を消去するための消去範囲を、上記線幅情報および大きさ情報が示す大きさ以上の大きさに設定する。
【００９０】
具体的には、例えば、３ｐｔ（ポイント）の線幅で線を描画しており、この後で、ユーザによって消去操作が選択された場合、消去部８２は、線幅記憶部８４に記憶されている線幅（ここでは３ｐｔ）を読み出して、上記線を消去するための消去範囲を４ｐｔに設定する。
【００９１】
なお、消去部８２が、設定する消去範囲は、直前に描画された線または特定画像を確実に消去できる大きさであればよく、特に限定されるものではない。しかし、消去範囲を著しく大きくすると希望する場所以外の部分も消去されることとなるため、上記消去範囲としては、直前に描画していた線または特定画像の大きさよりも若干大きくなる程度（例えば、上記線または特定画像の大きさよりも１０％大きい大きさ）に設定すればよい。
【００９２】
図７は、上記写真撮影プリント装置１における画像編集処理を説明するフローチャートである。なお、以下の説明では、ユーザが、画像表示部６１に線を描画し、この線の一部を消去する場合について説明する。
【００９３】
まず、利用者（ユーザ）は、タッチペン１２である操作入力部７３を操作して、描画操作を行う。具体的には、ユーザによって上記タッチペン１２が操作されて描画処理の命令が出された場合（例えば、ユーザによって線を描画することが選択された場合）、描画アプリケーション７１の切換部８０は、描画部８１に描画命令を出す。そして、ユーザによるタッチペン１２の操作を入力制御部７６が受け付けて、入力座標特定部７８が上記ユーザによって入力された座標を特定する。そして、描画部８１は、上記入力座標情報に基づいて単位画像を落書きレイヤーに書き込む。そして、出力制御部７９は、上記落書きレイヤーを読み出して、画像表示部６１に単位画像を表示する。このように、描画部８１によって描画処理が行われる（Ｓ１０）。そして、上記描画部８１は、描画処理を行うとともに、ユーザによって選択された描画条件を状態記憶部８３に記憶させる（Ｓ１１）。具体的には、描画部８１は、線幅に関する線幅情報を線幅記憶部８４に記憶される。なお、上記描画処理と線幅情報の記憶とは平行して（同時に）行ってもよく、ユーザによって描画条件が設定されると同時に描画部８１が描画条件を状態記憶部８３に記憶させ、ユーザによる操作入力部７３の操作に応じて描画部８１が描画処理を行うようにしてもよい。
【００９４】
次に、描画部８１は、ユーザの操作によって描画条件が変更されたか否かを判定する（Ｓ１２）。具体的には、ユーザが、例えば、描画している線幅を変更したり、スタンプ画像を描画する命令を出したりしたことを描画部８１が検出する。そして、描画条件が変更されたと判断した場合には、描画部８１は、上記新たに設定された描画条件を取得して、新たな描画条件を状態記憶部８３に記憶するとともに、描画処理を行う。
【００９５】
一方、上記ステップＳ１２にて、描画条件の変更が判断されていない場合、上記切換部８０は、ユーザから画像消去命令が出されたか否かを判定する（Ｓ１３）。具体的には、ユーザは、画像の描画から消去を選択する際には、画像表示部６１に表示されているボタンまたは特定のボタン等を押すことになる。上記入力制御部７６は、上記ボタンが押されたことを検出すると、切換部８０に対して、描画処理から消去処理に切換えるように命令信号を出す。そして上記切換部８０は、上記入力制御部７６からの命令信号を受信すると、消去部８２を動作させるように制御を行う。なお、上記ステップＳ１３における上記切換部８０による描画動作と消去動作との切換の判定は、上記ステップＳ１０の描画処理をしている間中、常に行っている。
【００９６】
次に、上記消去部８２は、状態記憶部８３に記憶されている描画条件のうち、最新の描画条件（描画部８１が直前に記憶した描画条件）を取得する（Ｓ１４）。具体的には、上記消去部８２は、線幅記憶部８４に記憶されている情報のうちで、最も新しい（つまり、直前の）線幅情報を取得する。
【００９７】
そして、上記消去部８２は、読出した線幅情報に基づいて、単位画像を消去するための領域を設定する（Ｓ１５）。具体的には、上記消去部８２は、タッチペン１２の操作によって消去できる範囲を、上記読み出した線幅情報の線幅以上の大きさに設定する。
【００９８】
そして、ユーザは上記のように消去できる領域が設定されたタッチペン１２を操作することにより、落書きレイヤーに書き込まれている単位画像を消去する。具体的には、ユーザによるタッチペン１２の操作を入力制御部７６が受け付けて、この入力座標を特定した座標情報を描画アプリケーション７１に送信する。上記消去部８２は、上記入力座標情報に基づいて上記単位画像を消去する（Ｓ１７）。そして、出力制御部７９は、単位画像が消去された落書きレイヤーを読み出して画像表示部６１に、単位画像が消去された画像を表示する。
【００９９】
次に、切換部８０は、ユーザによって画像消去処理を終了する旨の指示を受け付けたか否かを判定する（Ｓ１７）。具体的には、切換部８０は、上記ユーザがタッチペン１２を操作して画像消去処理を終了する終了命令が出されたか否かを検出する。
【０１００】
そして、ユーザから画像消去処理を終了する終了命令が出されていない間は、上記切換部８０は、消去部８２を動作するように制御している。
【０１０１】
一方、上記ステップＳ１７にて、上記終了命令が出されたと判断した、切換部８０は、ユーザから画像編集処理の終了命令が出されたか否かを判定する（Ｓ１８）。そして、上記ステップＳ１８にて、画像編集処理の終了命令が出されたと判定すると、画像編集処理を終了し、上記終了命令が出されていないと判断すると処理はＳ１０に戻る。
【０１０２】
なお、ステップＳ１３にて、画像消去処理が選択されていないと判断すると、上記切換部８０は、ユーザから画像編集処理の終了命令が出されたか否かを判定する（Ｓ１４）。そして、上記ステップＳ１４にて、画像編集処理の終了命令が出されたと判定すると、画像編集処理を終了し、上記終了命令が出されていないと判断すると処理はＳ１０に戻る。
【０１０３】
このようにして、本実施の形態では、画像表示部６１に表示された単位画像を消去する場合には、直前に描画された単位画像の大きさ以上に消去範囲を設定している。以下にこれについてさらに具体的に説明する。
【０１０４】
次に、上記画像編集装置１００によって画像表示部６１に表示される画像の例について説明する。図８（ａ）〜（ｃ）は、描画操作を行う場合における画像表示部６１に表示される表示画面を説明する図面である。
【０１０５】
まず、図８（ａ）に示すように、ユーザは、写真撮影プリント装置１において画像編集処理を行う場合には、タッチペン１２を用いて、単位画像の描画を行う。具体的には、ユーザは、画像表示部６１の表面に上記タッチペン１２を接触させて描画を行う。上記画像表示部６１には、入力受付け部が設けられており、ユーザによるタッチペン１２の入力を受け付ける。そして、描画部８１は、ユーザがタッチペン１２を接触させた場所に相当する画像表示部６１に単位画像を描画する。この結果、図８（ｂ）および図８（ｃ）に示すように、ユーザがタッチペン１２を操作することで、線や文字等の画像が表示される。
【０１０６】
図９（ａ）〜（ｄ）は、消去操作を行う場合における画像表示部６１に表示される表示画面を説明する図面である。消去操作を行う場合には、ユーザは、画像編集装置１００に対して単位画像の消去命令を出す。具体的には、例えば、ユーザが、表示画面上に表示されている「消しゴム」ボタンを押すことにより、画像編集装置１００は、ユーザから消去命令が出されたことを検知する。そして、上記ユーザからの消去命令を受信すると、画像編集装置１００の消去部８２は、直前に描画されていた線幅（単位画像の大きさ）を読み出して、例えば、図９（ａ）に示すように、タッチペン１２を操作することにより消去することができる単位画像の消去範囲を上記線幅よりも大きく設定する。そして、図９（ｂ）および図９（ｃ）に示すように、ユーザは、タッチペン１２を表示画面に接触させながら操作することにより、表示画面に表示された単位画像を消去する。また、例えば、図９（ｄ）に示すように、例えば、消去操作を行う前に、星型の特定画像を描画していた場合、消去操作を行うと、上記星型の大きさよりも大きい消去範囲に設定される。
【０１０７】
図１０は、タッチペン１２の消去範囲を、描画条件によって変更することを説明するための図面である。図１０（ａ）に示すように、小さい単位画像（細い線）を描画した直後に、消去操作を行うと、直前に描画していた線幅に基づいて消去範囲が設定される。その結果、図１０（ｂ）に示すように、タッチペン１２の消去範囲は、上記細い線の線幅よりも若干大きな領域に当該消去範囲が設定される。
【０１０８】
一方、図１０（ｃ）および（ｄ）に示すように、太い線を描画した直後に、消去操作を行う場合には、消去範囲の設定は、直前に描画した線幅に基づいて決定されるため、上記太い線の線幅よりも若干大きな領域に消去範囲が設定される。
【０１０９】
このように、本実施の形態にかかる画像編集装置１００は、直前に描画した線幅（単位画像の大きさ）を基準として消去範囲が設定される。
【０１１０】
図１１は、タッチペン１２の概略構成を示す図面であり、（ａ）は正面図であり、（ｂ）は側面図である。次に、上記タッチペン１２について説明する。
【０１１１】
本実施の形態にかかるタッチペン１２は、本体部にユーザの操作を受け付けるボタン９０（操作受付手段）を備えている。そして、上記ボタン９０に、単位画像の消去機能（消しゴム機能）が割り当てられている。具体的には、従来の装置では、例えば、表示画面に単位画像の消去を行うための消去命令に相当するボタン９０が表示されており、ユーザが上記ボタン９０を押すことにより、消去操作が実行される。一方、本実施の形態では、タッチペン１２に備えられたボタン９０をユーザが押すことで、消去操作が実行される。具体的には、上記タッチペン１２に備えられたボタン９０をユーザが操作することにより、上記画像編集装置１００に対して消去操作を実行するための消去操作命令が送信される。そして、上記画像編集装置１００では、上記消去操作命令を受信すると、上記切換部８０が、消去部８２を動作させるように制御を切換える。これにより、ユーザが上記タッチペン１２に設けられたボタン９０を操作することで、単位画像の消去操作を行うことができる。
【０１１２】
また、上記ボタン９０の操作に応じて消去操作以外の他の操作を行えるようにしてもよい。具体的には、例えば、ユーザが上記ボタン９０を１回押すと消去操作を行い、ユーザが上記ボタン９０を長押しすると、直前の操作に戻す復元操作を行ってもよい。この復元操作とは、描画操作または消去操作によって変化した単位画像を、上記操作（描画操作または消去操作）によって変化した前の状態に戻す操作を示している。
【０１１３】
また、上記タッチペン１２に設けられているボタン９０の操作に応じて様々な処理を行うように設定してもよい。そのひとつとして、巻き戻し処理が挙げられる。巻き戻し処理とは、上記復元処理を連続的に行う処理である。具体的には、上記ボタン９０を１回押すと表示画像の状態が、過去に行った操作に巻き戻る巻き戻し処理が行われて、もう一度ボタン９０を押すことで、巻き戻し処理を終了してもよい。
【０１１４】
また、上記ボタン９０を押している間は巻き戻し処理が行われ、上記ボタン９０を離すと巻き戻し処理を終了してもよい。
【０１１５】
また、上記ボタン９０を押している間は、消去操作が行われ、上記ボタン９０を離すと描画操作に切り替わるようにしてもよい。
【０１１６】
なお、上記復元操作を行う場合には、所定の操作を行う度に、その操作に関する情報が状態記憶部８３に記憶させておき、上記復元操作の命令が出されると、上記状態記憶部８３に記憶されている直前の状態に復元すればよい。また、上記所定の操作を行う度に、変化した方画面の状態を記憶させておき、上記復元操作の命令が出されると、直前の表示画面の状態に戻すようにしてもよい。
【０１１７】
また、上記の説明では、タッチペン１２に単位画像の消去を実行するためのボタン９０が設けられている例について説明しているが、例えば、表示画面または表示画面の周囲に上記ボタン９０を配置してもよい。
【０１１８】
以上のように、本実施の形態にかかる画像編集装置１００は、ユーザによるポインティングデバイスの操作に応じて画像表示部６１（表示装置）に単位画像を描画（表示）するための描画部８１と、ユーザによる上記ポインティングデバイスの操作に応じて上記画像表示部６１に描画された上記単位画像を消去するための消去部８２とを備えた画像編集装置１００であって、上記消去部８２は、上記描画部８１によって直前に描画（表示）された単位画像の大きさを記憶している線幅記憶部８４（描画条件記憶装置）から、上記単位画像の大きさを読み出すとともに、読み出した上記単位画像の大きさ以上の大きさで、画像表示部６１に描画（表示）された単位画像を消去する構成である。
【０１１９】
上記の構成によれば、描画部８１によって表示画面に描画した単位画像の大きさを描画条件記憶装置に記憶しておき、消去部８２が、描画された単位画像を消去する際に、上記消去部８２が上記描画条件記憶装置から、表示画面上に表示されている単位画像を消去する直前に描画された単位画像の大きさを読み出して、この大きさ以上の大きさで描画された単位画像を消去している。
【０１２０】
これにより、ユーザは、表示画面に表示された単位画像の大きさを気にすることなく、当該単位画像を確実に消去することができる。
【０１２１】
具体的には、例えば、小さい単位画像を描画した場合であっても、大きい単位画像を描画した場合であっても、消去部８２を用いて単位画像を消去する際に、直前に描画された単位画像以上の大きさの領域で消去することができるので、従来と比べて簡単かつ確実に消去する直前に描画した単位画像を消去することができる。
【０１２２】
また、本実施の形態にかかる画像編集装置１００において、上記描画部８１は、単位画像を連続的に配置して線を形成するものであり、上記消去部８２は、上記線の線幅以上の線幅で描画部８１が描画した線を消去する構成であってもよい。
【０１２３】
上記の構成によれば、描画部８１によって線が描画された場合、上記消去部８２は、上記線幅以上の領域（線幅）で上記線を消去している。これにより、描画部８１が描画した線を確実に消去することができる。
【０１２４】
本実施の形態にかかる写真撮影プリント装置１は、上記画像編集装置１００と、ポインティングデバイス（タッチペン１２）と、上記画像編集装置１００にて編集された編集画像とカメラユニット２にて被写体が撮影された撮影画像とを合成する画像合成部７２とを備える構成である。
【０１２５】
上記の構成によれば、カメラユニット２にて撮影された撮影画像と画像編集装置１００にて画像編集された編集画像とを合成している。そして、上記画像編集装置１００を備えているので、画像編集をより簡単かつ確実に行うことができる。これにより、従来よりも操作性が向上した写真撮影プリント装置１を提供することができる。
【０１２６】
本実施の形態にかかる写真撮影プリント装置１において、上記タッチペン１２は、ユーザからの操作を受け付けるボタン９０（スイッチ）を備えており、上記ボタン９０は、ユーザからの操作を受け付けると、上記消去部８２に単位画像の消去を命令する消去操作命令を送信する構成であってもよい。
【０１２７】
上記の構成によれば、タッチペン１２にボタン９０が設けられており、上記ボタン９０を操作することで、画像の消去を行うことができる。つまり、タッチペン１２を用いて単位画像の描画を行っている際に、単位画像の消去を行いたい場合には、上記ボタン９０を操作することで単位画像の消去を行うことができる。これにより、より画像編集時の操作性をより一層向上させることができる。
【０１２８】
本実施の形態にかかる写真撮影プリント装置１において、上記タッチペン１２は、ユーザからの操作を受け付けるボタン９０を備えており、上記ボタン９０は、ユーザからの操作を受け付けると、上記画像編集装置１００に対して、上記描画部８１による単位画像の描画および上記消去部８２による上記単位画像の消去のいずれかの操作によって変化した単位画像を、上記操作の直前の状態に戻す状態復元命令を送信する構成であってもよい。
【０１２９】
上記の構成によれば、タッチペン１２にボタン９０が設けられており、上記ボタン９０を操作することで、直前の状態に戻すことができるこれにより、より画像編集時の操作性をより一層向上させることができる。
【０１３０】
また、上記の説明では、上記画像編集装置１００が写真プリント装置に設けられている例について説明しているが、特に限定されるものではなく、マウスやトラックパッド、トラックボール、タッチペン１２、タッチパネル６等のポインティングデバイスを用いて画像を編集する用途の装置に用いることができる。
【０１３１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１３２】
最後に、画像編集装置１００、および写真撮影プリント装置１の各ブロックは、ハードウェアロジックによって構成してもよいし、次のようにＣＰＵを用いてソフトウェアによって実現してもよい。
【０１３３】
すなわち、画像編集装置１００、および写真撮影プリント装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである画像編集装置１００、および写真撮影プリント装置１の制御プログラムのプログラムコード（実行形式プログラム、中間コードプログラム、ソースプログラム）をコンピュータで読取り可能に記録した記録媒体を、上記画画像編集装置１００、および写真撮影プリント装置１に供給し、そのコンピュータ（またはＣＰＵ５２やＭＰＵ）が記録媒体に記録されているプログラムコードを読み出し実行することによっても、達成可能である。
【０１３４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３５】
また、画像編集装置１００、および写真撮影プリント装置１を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Bluetooth（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３６】
このように本明細書において、手段とは必ずしも物理的手段を意味するものではなく、各手段の機能がソフトウェアによって実現される場合も包含する。さらに、一つの手段の機能が、二つ以上の物理的手段により実現されても、もしくは、二つ以上の手段の機能が、一つの物理的手段により実現されてもよい。
【産業上の利用可能性】
【０１３７】
本発明にかかる画像編集装置は、タッチパネルやタッチペン等の座標入力装置を用いて画像を描画する装置に特に好適である。
【図面の簡単な説明】
【０１３８】
【図１】本実施の形態にかかる画像編集装置の概略の構成を示すブロック図である。
【図２】本実施の形態に係る写真撮影プリント装置の概略の構成を示す斜視図である。
【図３】上記写真撮影プリント装置の概略の構成を示す側面図である。
【図４】上記写真撮影プリント装置の概略の構成を示すブロック図である。
【図５】合成画像を構成しているレイヤーを示す図面である。
【図６】写真撮影プリント装置における撮影から印刷までの一連の処理の流れを示すフローチャートである。
【図７】上記写真撮影プリント装置における画像編集処理を説明するフローチャートである。
【図８】（ａ）〜（ｃ）は、描画操作を行う場合における画像表示部に表示される表示画面を説明する図面である。
【図９】（ａ）〜（ｄ）は、消去操作を行う場合における画像表示部に表示される表示画面を説明する図面である。
【図１０】（ａ）〜（ｄ）は、タッチペンの消去範囲を、描画条件によって変更することを説明するための図面である。
【図１１】タッチペンの概略構成を示す図面であり、（ａ）は正面図であり、（ｂ）は側面図である。
【符号の説明】
【０１３９】
１  写真撮影プリント装置
２  カメラユニット（撮影手段）
３  装置本体
４  背景カーテン
５  撮影空間
６  タッチパネル（ポインティング装置）
１２  タッチペン（ポインティング装置）
２０  制御装置
２１  ＲＯＭ
２２  ＲＡＭ
５０  駆動制御部
６１  画像表示部
７０  入出力ドライバ
７１  描画アプリケーション
７２  画像合成部（合成手段）
７３  操作入力部（ポインティング装置）
７６  入力制御部
７７  入力受付部
７８  入力座標特定部
７９  出力制御部
８０  切換部
８１  描画部（描画手段）
８２  消去部（消去手段）
８３  状態記憶部（描画条件記憶装置）
８４  線幅記憶部
９０  ボタン（操作受付手段）
１００  画像編集装置
【図１】
2006285629.tif 000003
【図２】
2006285629.tif 000004
【図３】
2006285629.tif 000005
【図４】
2006285629.tif 000006
【図５】
2006285629.tif 000007
【図６】
2006285629.tif 000008
【図７】
2006285629.tif 000009
【図８】
2006285629.tif 000010
【図９】
2006285629.tif 000011
【図１０】
2006285629.tif 000012
【図１１】
2006285629.tif 000013